(57)【要約】    【課題】  洗浄対象の食器量を高精度で検出する。    【解決手段】  洗浄槽１の底部に溜った洗浄水を回転ノズルアーム１０３に供給して該回転ノズルアームから上向き噴射させて該回転ノズルアームの上方に位置する食器類に吹き付けている状態において洗浄槽の底部に溜っている洗浄水の水位をサーミスタを使用した水位センサ１０５の抵抗値に応じて出力する検出電圧に基づいて検出し、この検出水位に基づいて食器類の量の多少を判定する。【選択図】  図１
2005095505.tif 000002
【特許請求の範囲】
【請求項１】
底部に溜った洗浄水をノズルに供給して該ノズルから上向きに噴射して該ノズルの上方に載置する食器類に吹き付けて洗浄する洗浄槽と、この洗浄槽の底部に溜った洗浄水をノズルから上向き噴射させて食器類に吹き付けている状態において該洗浄槽の底部に溜っている洗浄水の水位に基づいて食器類の量を検出する食器量検出手段とを備えた食器洗い機において、
前記食器量検出手段は、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタを備え、
洗浄水をノズルから噴射して食器類に吹き付けている状態において洗浄槽の底部に溜っている洗浄水の量に応じて変化する前記食器量検出水位検出用サーミスタの抵抗値に応じて発生する検出電圧を参照して洗浄対象の食器類の量を検出することを特徴とする食器洗い機。
【請求項２】
底部に溜った洗浄水をノズルに供給して該ノズルから上向きに噴射して該ノズルの上方に載置する食器類に吹き付けて洗浄する洗浄槽と、この洗浄槽の底部に溜った洗浄水をノズルから上向き噴射させて食器類に吹き付けている状態において該洗浄槽の底部に溜っている洗浄水の水位に基づいて食器類の量を検出する食器量検出手段とを備えた食器洗い機において、
前記食器量検出手段は、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタと、
前記食器量検出水位検出用サーミスタと同一水位に位置させて設置した基準用サーミスタを備え、
洗浄水をノズルから噴射して食器類に吹き付けている状態における前記食器量検出水位検出用サーミスタの抵抗値に応じて発生する検出電圧と前記基準用サーミスタの抵抗値に応じて発生する検出電圧を参照して洗浄対象の食器類の量を検出することを特徴とする食器洗い機。
【請求項３】
請求項１において、前記洗浄水位検出用サーミスタと食器量検出水位検出用サーミスタは、加熱形のサーミスタであることを特徴とする食器洗い機。
【請求項４】
請求項２において、前記洗浄水位検出用サーミスタと食器量検出水位検出用サーミスタは、加熱形のサーミスタであり、前記基準用サーミスタは、非加熱形のサーミスタであることを特徴とする食器洗い機。
【請求項５】
請求項３または４において、前記洗浄水位検出用サーミスタと食器量検出水位検出用サーミスタは、洗浄水から露出した状態にあるときには８０℃以上の高温状態になるように構成したことを特徴とする食器洗い機。
【請求項６】
底部に溜った洗浄水をポンプによってノズルに供給して該ノズルから上向きに噴射して該ノズルの上方に載置する食器類に吹き付けて洗浄する洗浄槽と、前記洗浄槽に給水する給水手段と、前記洗浄槽の底部に溜っている洗浄水の水位を検出する水位センサと、制御装置とを備え、前記制御装置は、前記洗浄槽の底部に溜った洗浄水をノズルから上向き噴射させて食器類に吹き付けている状態において該洗浄槽の底部に溜っている洗浄水の水位に基づいて食器類の量を検出する食器洗い機において、
前記水位センサは、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタを備え、
前記制御装置は、
前記洗浄水位検出用サーミスタの抵抗値に応じて発生する検出電圧を参照しながら洗浄水位まで給水するように前記給水手段を制御し、
その後、洗浄水をノズルから噴射して食器類に吹き付けるように前記ポンプを所定時間運転制御し、
ポンプを所定時間運転した後に前記洗浄水位検出用サーミスタの抵抗値に応じて発生する検出電圧を参照しながら洗浄水位まで給水するように前記給水手段を制御し、
その後、ポンプを運転して洗浄水をノズルから噴射して食器類に吹き付けている状態において洗浄槽の底部に溜っている洗浄水の量に応じて変化する前記食器量検出水位検出用サーミスタの抵抗値に応じて発生する検出電圧を参照して洗浄対象の食器類の量を検出することを特徴とする食器洗い機。
【請求項７】
請求項６において、前記水位センサは、更に、前記食器量検出水位検出用サーミスタと同一水位に位置させて設置した基準用サーミスタを備え、前記洗浄水位検出用サーミスタと食器量検出水位検出用サーミスタは、加熱形のサーミスタであり、前記基準用サーミスタは、非加熱形のサーミスタであり、
前記制御装置は、洗浄水をノズルから噴射して食器類に吹き付けている状態における前記食器量検出水位検出用サーミスタの抵抗値に応じて発生する検出電圧と前記基準用サーミスタの抵抗値に応じて発生する検出電圧を参照して洗浄対象の食器類の量を検出することを特徴とする食器洗い機。
【請求項８】
請求項７において、前記洗浄水位検出用サーミスタと食器量検出水位検出用サーミスタは、洗浄水から露出した状態にあるときには８０℃以上の高温状態になるように構成したことを特徴とする食器洗い機。
【発明の詳細な説明】
【技術分野】
【０００１】
本発明は、食器洗い機に関する。
【背景技術】
【０００２】
従来の一般の食器洗い機は、洗浄槽と、食器類を載置して前記洗浄槽内に収容する食器かごと、前記洗浄槽内に設置されて前記食器かごに載置された食器に向けて洗浄水を噴射する洗浄ノズルと、前記洗浄槽内に洗浄水を供給する給水手段と、前記洗浄槽内の底部に溜った洗浄水の水位を検出する洗浄水位検出手段と、洗浄槽内の洗浄水および空気を加熱するヒータと、洗浄槽内の水温を検出する洗浄水温検出手段と、洗浄槽内の底部に溜った洗浄水を前記洗浄ノズルに供給する洗浄ポンプと、洗浄槽内の洗浄水を排水する排水ポンプと、洗浄槽内を換気する電動送風ファンと、制御プログラムを実行することによって前記洗浄水位検出手段から出力する水位検出信号と前記洗浄水温検出手段から出力する水温検出信号を参照し、前記給水手段とヒータと洗浄ポンプと排水ポンプと電動送風ファンを制御し、食器かごに載置された洗浄槽内の食器類を洗浄および乾燥させる制御装置を備える。
【０００３】
このような食器洗い機における洗浄工程および乾燥工程は、食器かごに載置された洗浄および乾燥すべき食器類の量（食器量）に応じて洗浄工程および乾燥工程を制御することが望ましい。
【０００４】
このような望ましい制御を実現するための食器量検出方法として、洗浄ポンプの動作と停止を複数回繰り返したときに単位時間当りの水位検出信号の変化量が所定値を越えるときの時間を測定して該時間の長さによって食器量を判定する方法が提案されている。
【０００５】
このような食器量に応じた洗浄工程および乾燥工程の制御は、システムキッチンに組み込むような形態とするために、洗浄槽を引き出し形に構成した食器洗い機においても望ましい。
【０００６】
【特許文献１】特開平７−５９７０８号公報
【０００７】
【特許文献２】特開２００３−１８０５９４号公報
【発明の開示】
【発明が解決しようとする課題】
【０００８】
洗浄ノズルが洗浄槽の下部に位置していて洗浄水を吹き上げる構成の食器洗い機において、洗浄ポンプを動作させたときの水位の変化量を検出して食器量を判定する方法では水位検出を高精度で行うことが必要である。
【０００９】
しかしながら、任意の温度の洗浄水を使用する食器洗い機では、洗浄槽内の洗浄水の水位を空気圧に変換して圧力計型の水位センサによって検出する水位検出手段では、洗浄水の温度に影響されて空気圧が変化することから、水位検出精度を向上させることが困難である。
【００１０】
また、圧力計型の水位センサは、構成が複雑になって高価となる問題がある。
【００１１】
本発明の目的は、食器量を高精度で検出することができる食器洗い機を実現することにある。
【００１２】
本発明の他の目的は、簡単な構成の洗浄水位検出手段を使用して食器量を高精度で検出することができる食器洗い機を実現することにある。
【００１３】
本発明の他の目的は、洗浄槽内に収容された食器量を簡単な構成で精度良く検出することができる食器量検出方法を提供することにある。
【課題を解決するための手段】
【００１４】
本発明は、底部に溜った洗浄水をノズルに供給して該ノズルから上向きに噴射して該ノズルの上方に載置する食器類に吹き付けて洗浄する洗浄槽と、この洗浄槽の底部に溜った洗浄水をノズルから上向き噴射させて食器類に吹き付けている状態において該洗浄槽の底部に溜っている洗浄水の水位に基づいて食器類の量を検出する食器量検出手段とを備えた食器洗い機において、
前記食器量検出手段は、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタを備え、
洗浄水をノズルから噴射して食器類に吹き付けている状態において洗浄槽の底部に溜っている洗浄水の量に応じて変化する前記食器量検出水位検出用サーミスタの抵抗値に応じて発生する検出電圧を参照して洗浄対象の食器類の量を検出することを特徴とする。
【００１５】
また、本発明は、底部に溜った洗浄水をノズルに供給して該ノズルから上向きに噴射して該ノズルの上方に載置する食器類に吹き付けて洗浄する洗浄槽と、この洗浄槽の底部に溜った洗浄水をノズルから上向き噴射させて食器類に吹き付けている状態において該洗浄槽の底部に溜っている洗浄水の水位に基づいて食器類の量を検出する食器量検出手段とを備えた食器洗い機において、
前記食器量検出手段は、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタと、
前記食器量検出水位検出用サーミスタと同一水位に位置させて設置した基準用サーミスタを備え、
洗浄水をノズルから噴射して食器類に吹き付けている状態における前記食器量検出水位検出用サーミスタの抵抗値に応じて発生する検出電圧と前記基準用サーミスタの抵抗値に応じて発生する検出電圧を参照して洗浄対象の食器類の量を検出することを特徴とする。
【００１６】
そして、前記洗浄水位検出用サーミスタと食器量検出水位検出用サーミスタは、加熱形のサーミスタであることを特徴とする。
【００１７】
また、前記洗浄水位検出用サーミスタと食器量検出水位検出用サーミスタは、加熱形のサーミスタであり、前記基準用サーミスタは、非加熱形のサーミスタであることを特徴とする。
【００１８】
また、前記洗浄水位検出用サーミスタと食器量検出水位検出用サーミスタは、洗浄水から露出した状態にあるときには８０℃以上の高温状態になるように構成したことを特徴とする。
【００１９】
また、本発明は、底部に溜った洗浄水をポンプによってノズルに供給して該ノズルから上向きに噴射して該ノズルの上方に載置する食器類に吹き付けて洗浄する洗浄槽と、前記洗浄槽に給水する給水手段と、前記洗浄槽の底部に溜っている洗浄水の水位を検出する水位センサと、制御装置とを備え、前記制御装置は、前記洗浄槽の底部に溜った洗浄水をノズルから上向き噴射させて食器類に吹き付けている状態において該洗浄槽の底部に溜っている洗浄水の水位に基づいて食器類の量を検出する食器洗い機において、
前記水位センサは、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタを備え、
前記制御装置は、
前記洗浄水位検出用サーミスタの抵抗値に応じて発生する検出電圧を参照しながら洗浄水位まで給水するように前記給水手段を制御し、
その後、洗浄水をノズルから噴射して食器類に吹き付けるように前記ポンプを所定時間運転制御し、
ポンプを所定時間運転した後に前記洗浄水位検出用サーミスタの抵抗値に応じて発生する検出電圧を参照しながら洗浄水位まで給水するように前記給水手段を制御し、
その後、ポンプを運転して洗浄水をノズルから噴射して食器類に吹き付けている状態において洗浄槽の底部に溜っている洗浄水の量に応じて変化する前記食器量検出水位検出用サーミスタの抵抗値に応じて発生する検出電圧を参照して洗浄対象の食器類の量を検出することを特徴とする。
【００２０】
また、前記水位センサは、更に、前記食器量検出水位検出用サーミスタと同一水位に位置させて設置した基準用サーミスタを備え、前記洗浄水位検出用サーミスタと食器量検出水位検出用サーミスタは、加熱形のサーミスタであり、前記基準用サーミスタは、非加熱形のサーミスタであり、
前記制御装置は、洗浄水をノズルから噴射して食器類に吹き付けている状態における前記食器量検出水位検出用サーミスタの抵抗値に応じて発生する検出電圧と前記基準用サーミスタの抵抗値に応じて発生する検出電圧を参照して洗浄対象の食器類の量を検出することを特徴とする。
【００２１】
また、前記洗浄水位検出用サーミスタと食器量検出水位検出用サーミスタは、洗浄水から露出した状態にあるときには８０℃以上の高温状態になるように構成したことを特徴とする。
【発明の効果】
【００２２】
本発明は、洗浄槽の底部に溜った洗浄水をノズルから上向き噴射させて食器類に吹き付けている状態において該洗浄槽の底部に溜っている洗浄水の水位に基づいて食器類の量を検出する食器量検出手段とを備えた食器洗い機において、前記洗浄水の水位の検出を洗浄水に感応するように位置させて設置した洗浄水位検出用サーミスタの抵抗値に基づいて検出するように構成したことによって、洗浄槽内に収容された食器量を簡単な構成で精度良く検出することができる。
【発明を実施するための最良の形態】
【００２３】
本発明は、底部に溜った洗浄水をポンプによってノズルに供給して該ノズルから上向きに噴射して該ノズルの上方に載置する食器類に吹き付けて洗浄する洗浄槽と、前記洗浄槽に給水する給水手段と、前記洗浄槽の底部に溜っている洗浄水の水位を検出する水位センサと、制御装置とを備え、前記制御装置は、前記洗浄槽の底部に溜った洗浄水をノズルから上向き噴射させて食器類に吹き付けている状態において該洗浄槽の底部に溜っている洗浄水の水位に基づいて食器類の量を検出する食器洗い機において、
前記水位センサは、
食器類を洗浄するために必要な量の洗浄水が底部に溜ったときの水位に相当する洗浄水位の洗浄水に感応するように位置させて設置した洗浄水位検出用サーミスタと、
洗浄対象の食器類の量を検出するために洗浄水をノズルから噴射して食器類に吹き付けている状態において洗浄槽の底部に溜っている洗浄水低下水位の洗浄水に感応するように位置させて設置した食器量検出水位検出用サーミスタと、
前記食器量検出水位検出用サーミスタと同一水位に位置させて設置した基準用サーミスタを備え、
前記洗浄水位検出用サーミスタと食器量検出水位検出用サーミスタは、加熱形のサーミスタであって洗浄浄水から露出した状態にあるときには８０℃以上の高温状態になるように構成し、前記基準用サーミスタは、非加熱形のサーミスタであり、
前記制御装置は、
前記洗浄水位検出用サーミスタの抵抗値に応じて発生する検出電圧と前記基準用サーミスタの抵抗値に応じて発生する検出電圧を参照しながら洗浄水位まで給水するように前記給水手段を制御し、
その後、洗浄水をノズルから噴射して食器類に吹き付けるように前記ポンプを所定時間運転制御し、
ポンプを所定時間運転した後に前記洗浄水位検出用サーミスタの抵抗値に応じて発生する検出電圧と前記基準用サーミスタの抵抗値に応じて発生する検出電圧を参照しながら洗浄水位まで給水するように前記給水手段を制御し、
その後、ポンプを運転して洗浄水をノズルから噴射して食器類に吹き付けている状態において洗浄槽の底部に溜っている洗浄水の量に応じて変化する前記食器量検出水位検出用サーミスタの抵抗値に応じて発生する検出電圧と前記基準用サーミスタの抵抗値に応じて発生する検出電圧を参照して洗浄対象の食器類の量の多少を検出するように構成する。
【実施例１】
【００２４】
図１は、この実施例１における食器洗い機の縦断正面図を示している。
【００２５】
この食器洗い機は、引き出し形態の洗浄槽ユニット１を外枠を構成する外ケース２に進退可能に収容し、引き出した状態で食器の出し入れや洗剤投入を行い、押し入れた状態で洗浄（洗い，濯ぎ，乾燥）を行う構成であり、基本的には、特許文献２に記載された食器洗い機のように構成する。
【００２６】
洗浄槽ユニット１は、樹脂成形によって上側を開放した箱型形状に形成した洗浄槽１０１を主体にして構成する。洗浄／排水ポンプ１０２は、洗浄槽１０１の底壁の外側に取り付けた偏平なブラシレスモータの回転軸を前記底壁を貫通させて内側に突出させた内端部に羽根車を嵌着して構成し、洗浄槽１０１の底壁を低くして形成した水溜部から洗浄水を効率良く吸い込むように設置する。また、この洗浄／排水ポンプ１０２は、ブラシレスモータの回転方向を制御することによって、吸い込んだ洗浄水を洗浄吐出口または排水吐出口に選択的に吐出するように構成する。この洗浄／排水ポンプ１０２の洗浄吐出口には、回転ノズルアーム１０３を回転自在に結合し、洗浄吐出口から受け入れた洗浄水を該回転ノズルアーム１０３の上面に設けた洗浄噴射穴から斜め上向きに噴射し、回転ノズルアーム１０３内の洗浄水の流れと噴射の反力で回転する。洗浄／排水ポンプ１０２の排水吐出口には、排水パイプ（図示省略）を接続する。因に、洗浄／排水ポンプ１０２は、ブラシレスモータを正回転方向に回転させるときに洗浄モードとなって洗浄水を洗浄吐出口から吐出し、逆回転方向に回転させるときに排水モードとなって洗浄水を排水吐出口から吐出する。
【００２７】
回転ノズルアーム１０３の下側には、概略環状のシーズヒータ１０４を設置する。
【００２８】
この洗浄槽１０１への洗浄水（洗浄水）の供給は、水道配管から給水電磁弁（図示省略）を介して該洗浄槽１０１の底部に給水するように構成する。
【００２９】
また、洗浄槽１０１内には、水位センサ１０５を設置する。この水位センサ１０５は、食器類を洗浄するための洗浄水量に相当する洗浄槽１０１の底部の洗浄水位を検出する洗浄水位検出機能と、洗浄対象の食器類の量（食器量）を検出するために洗浄／排水ポンプ１０２を洗浄モードで運転するときの洗浄水位の低下量を検出する食器量検出水位検出機能を備える。この実施例における食器量検出は、洗浄／排水ポンプ１０２を洗浄モードで運転するときの洗浄槽１０１の底部の洗浄水位の低下量が洗浄槽１０１内の洗浄対象の食器の量に影響されて変化することを利用するものである。この実施例は、食器量を「多い」／「少ない」の２値分別で検出するものであり、洗浄水位まで給水された洗浄水が洗浄／排水ポンプ１０２を洗浄モードで運転中に食器量検出水位よりも低い水位まで低下したときに、食器量が「多い」と判定し、そのようにならないときには「少ない」と判定するように構成している。
【００３０】
このようにして食器量の多少を判定するための洗浄水位と食器量検出水位の絶対値および差は、食器洗い機の仕様によって異なるので、製品設計段階で予め試行して設定することが望ましい。この水位センサ１０５は、検出水位に位置するように設置した高温加熱状態のサーミスタが洗浄水に感応して該サーミスタの温度が低下して抵抗値が変化するのを検出して該洗浄水が検出水位（洗浄水位）まで上昇したことを検出し、洗浄水面下の検出水位に位置するように設置されて洗浄水に埋没して該洗浄水に冷却されることによって温度上昇が抑制されている加熱状態のサーミスタが該洗浄水の水位の低下によって露出（感応）して高温状態となって抵抗値が変化するのを検出して該洗浄水が検出水位（食器量検出水位）まで低下したことを検出するように構成するものである。
【００３１】
この水位センサ１０５は、具体的には、図２に示すように、洗浄槽１０１内に設置した基準用サーミスタ１０５１と、洗浄水位検出用サーミスタ１０５２と、食器量検出水位検出用サーミスタ１０５３を備える。基準用サーミスタ１０５１は、非加熱形のサーミスタであり、洗浄水位検出用サーミスタ１０５２と食器量検出水位検出用サーミスタ１０５３は、加熱形のサーミスタである。洗浄水位検出用サーミスタ１０５２と食器量検出水位検出用サーミスタ１０５３は、洗浄水から露出している状態では、給湯設備から給水される温水の最高温度（約６０℃）よりも高い温度（例えば、８０℃）の高温状態となるように構成する。洗浄水位検出用サーミスタ１０５２は、洗浄水位検出水位に位置するように設置し、基準用サーミスタ１０５１と食器量検出水位検出用サーミスタ１０５３は、食器量検出水位検出水位に位置するように設置する。
【００３２】
水位センサ１０５の各サーミスタ１０５１〜１０５３は、それぞれ、固定抵抗を直列に接続た分圧回路を形成して抵抗値に応じた検出電圧を出力するように構成する。基準用サーミスタ１０５１の分圧回路から出力する検出電圧は、基準用サーミスタ１０５１の周囲の温度（気温や洗浄水温）に応じた高さの検出電圧を出力するように回路定数を設定する。洗浄水位検出用サーミスタ１０５２と食器量検出水位検出用サーミスタ１０５３の分圧回路から出力する検出電圧は、洗浄水から露出して高温加熱状態にあるときには、基準用サーミスタ１０５１の分圧回路から出力する検出電圧よりも低く、洗浄水に冷却されて温度が低下した状態にあるときには、基準用サーミスタ１０５１の分圧回路から出力する検出電圧よりも高くなるように回路定数を設定する。
【００３３】
更に、洗浄槽１０１内には、前記回転ノズルアーム１０３の上方に位置するように食器載置かご１０６を設置する。この食器載置かご１０６は、載置した茶碗や皿やコップ等の食器に前記回転ノズルアーム１０３から噴射する洗浄水を効果作用させるのに好適な形態に構成する。
【００３４】
洗浄槽１０１の前側壁の外側には、乾燥用の空気を洗浄槽１０１内に吹き込む乾燥給気ファン１０７を設置し、乾燥空気を送風カバー１０８を介して洗浄槽１０１の底部に吹き込んで循環させる。洗浄槽１０１内の湿潤空気は、側壁に形成した槽排気穴１０１ａから槽外に排気する。
【００３５】
洗浄槽１０１の前側壁の外側を覆う前面パネル１０９は、その内側に制御装置と操作パネル（何れも図示省略）と排気窓１１０を実装し、洗浄槽１０１の前面にねじ止めして取り付ける。排気窓１１０と前記排気穴１０１ａは、洗浄槽１０１の側面に取り付けた連結ダクト（図示省略）を介して連通させる。
【００３６】
また、洗浄槽１０１の上縁の全周には、中空パッキング（後述する）を当接してシールするためのパッキング当接鍔１０１ｂを形成する。
【００３７】
このように構成した洗浄槽１０１の両外側面には、外ケース２内に進退可能に設置するためのスライドレール機構可動部（図示省略）を取り付ける。
【００３８】
外ケース２は、前方を開口した箱型に構成し、前記洗浄槽ユニット１に設けた前記スライドレール機構可動部と組み合って該洗浄槽ユニット１を引き出し可能に収納するスライドレール機構固定部（図示省略）を両内側側面に備える。
【００３９】
この外ケース２の天板２０１の内側には、前記洗浄槽１０１の上端全周に形成したパッキン当接鍔１０１ｂに対向するように環状の中空パッキング２０２を設け、エアーポンプユニットから給排気ホース（何れも図示省略）を介して中空パッキング２０２に加圧空気を送って膨らませることにより膨らんだ該パッキング２０２をパッキング当接鍔１０１ｂと天板２０１の間に弾性的に当接（弾着）させて洗浄槽１０１の開放端の安定したシールを実現するように構成する。
【００４０】
この食器洗い機の制御装置は、図３に示すように、マイクロコンピュータ３０１を中心にして構成し、操作パネルに設けられた指示入力操作スイッチ群３０２からの指示入力に従って、メモリ３０３に格納されているプログラムを実行して洗浄制御を実行する。
【００４１】
この洗浄制御において、マイクロコンピュータ３０１は、洗浄水の水位を検出する水位センサ１０５，洗浄槽１０１が外ケース２内に押し込まれて閉じていることを検出するドアセンサ３０４，洗浄水の温度を検出する水温センサ３０５からの検出信号（検出電圧）を入力し、中空パッキング２０２への給気および排気を制御するエアポンプ３０６と、給水電磁弁３０７と、前記シーズヒータ１０４と、前記洗浄／排水ポンプ１０２におけるブラシレスモータ１０２１と、前記乾燥給気ファン１０７と、操作パネルに設けた表示器３０８とブザー３０９を制御する。
【００４２】
制御装置のマイクロコンピュータ３０１が実行する洗浄制御処理における給水および食器量検出の制御処理を図４および図５を参照して説明する。図４は、マイクロコンピュータ３０１が実行する制御処理のフローチャート、図５は、食器量検出の制御処理における水位センサ１０５の検出電圧特性図であり、（ａ）は、洗浄水位検出特性図、（ｂ）は、食器量判定水位検出特性図である。
【００４３】
ステップＳ４０１
指示入力操作スイッチ群３０２におけるスタートスイッチが入力されると洗浄工程の制御処理を開始する。この洗浄工程の開始では、ドアセンサ１０５から出力する検出信号を参照して洗浄槽１０１が外ケース２内に押し込まれて閉じていることを確認し、中空パッキング２０２を膨張させて洗浄槽１０１の開放端と天板２０１の間をシールするようにエアポンプ３０６を運転制御する。
【００４４】
ステップＳ４０２
給水電磁弁３０７を開放して洗浄槽１０１内に洗浄水を給水する。洗浄槽１０１の底部に溜った洗浄水の水位が低くて水位センサ１０５の洗浄水位検出用サーミスタ１０５２と食器量検出水位検出用サーミスタ１０５３が洗浄水の冷却作用に感応しない状態では、洗浄水位検出用サーミスタ１０５２と食器量検出水位検出用サーミスタ１０５３が高温加熱状態で低抵抗値状態にあるので、これらの抵抗値に応じて分圧回路から出力される検出電圧は基準用サーミスタ１０５１の抵抗値に応じて分圧回路から出力する検出電圧よりも低い。
【００４５】
ステップＳ４０３
洗浄槽１０１の底部に溜った洗浄水の水位が洗浄水位検出位置まで上昇したかどうかを検出する。この洗浄水位検出は、水位センサ１０５の洗浄水位検出用サーミスタ１０５２の分圧回路から出力する検出電圧が基準用サーミスタ１０５１の抵抗値に応じて分圧回路から出力する検出電圧まで上昇したかどうかを確認することによって行う。
【００４６】
ステップＳ４０４
水位センサ１０５の検出電圧に基づいて洗浄槽１０１の底部の洗浄水が洗浄水位検出水まで上昇したことを検出すると給水電磁弁３０７を閉じて給水を停止する。
【００４７】
ステップＳ４０５
洗浄／排水ポンプ１０２を洗浄モードで運転して回転ノズルアーム１０３から洗浄水を噴射させて食器類に吹き付けて該食器類や洗浄槽１０１の内壁面に洗浄水を付着させる。
【００４８】
ステップＳ４０６
洗浄／排水ポンプ１０２の運転を停止して回転ノズルアーム１０３からの洗浄水の噴射を止めて食器類や洗浄槽１０１の内壁面に対する洗浄水の付着量を安定させ、底部に溜っている洗浄水の量を安定させる。
【００４９】
ステップＳ４０７
水位センサ１０５の洗浄水位検出用サーミスタ１０５２の分圧回路から出力する検出電圧を基準用サーミスタ１０５の分圧回路から出力する検出電圧と比較し、食器類や洗浄槽１０１への付着によって洗浄槽１０１の底部に溜っている洗浄水が減少して水面が低下している（洗浄水位検出用サーミスタ１０５２の分圧回路から出力する検出電圧が基準用サーミスタ１０５の分圧回路から出力する検出電圧より低い）のを確認する。
【００５０】
ステップＳ４０８
洗浄槽１０１内の底部に溜っている洗浄水の水位が洗浄水位検出位置（検出水位）まで上昇するように給水電磁弁３０７を開放して洗浄槽１０１内に洗浄水を補給する。この洗浄槽１０１への洗浄水の補給は、食器類や洗浄槽１０１への付着によって洗浄槽１０１の底部に溜っている洗浄水が減少することによって、後述する食器量検出の精度が低下するのを防止するために行う。
【００５１】
ステップＳ４０９
洗浄槽１０１内の底部に溜っている洗浄水の水位が洗浄水位検出位置（検出水位）まで上昇して水位センサ１０５の洗浄水位検出用サーミスタ１０５２の分圧回路から出力する検出電圧が基準用サーミスタ１０５１の分圧回路から出力する検出電圧まで上昇したのをステップＳ４０７で検出すると給水電磁弁３０７を閉じて洗浄水の補給を終了する。
【００５２】
ステップＳ４１０
洗浄／排水ポンプ１０２を洗浄モードで運転して回転ノズルアーム１０３から洗浄水を噴射させて食器類に吹き付ける。
【００５３】
ステップＳ４１１
水位センサ１０５の食器量検出水位検出用サーミスタ１０５３の分圧回路から出力する検出電圧を基準用サーミスタ１０５１の分圧回路から出力する検出電圧と比較し、食器類への付着によって洗浄槽１０１の底部に溜っている洗浄水の量が減少して水面が食器量検出水位検出水位よりも低い水位に低下しているかどうかを確認して食器量の多少を判定する。
【００５４】
ステップＳ４１２
食器量検出水位検出用サーミスタ１０５３の分圧回路から出力する検出電圧が基準用サーミスタ１０５１の分圧回路から出力する検出電圧以上のときには洗浄対象の食器量が少ないとして、食器量が少ない状態での好ましい制御条件を設定する。
【００５５】
ステップＳ４１３
食器量検出水位検出用サーミスタ１０５３の分圧回路から出力する検出電圧が基準用サーミスタ１０５１の分圧回路から出力する検出電圧よりも低いときには洗浄対象の食器量が多いとして、食器量が多い状態での好ましい制御条件を設定する。
【００５６】
ステップＳ４１４
ステップＳ４１２，４１３において設定した制御条件に従って以後の洗浄制御処理を実行する。
【００５７】
本発明は、実施例１に例示した引き出し形態の洗浄槽ユニットを備えたプルオープンタイプの食器洗い機に限らず、洗浄槽の前面開口を閉じる前面パネルを手前側に倒して該洗浄槽を開放するフロントオープンタイプの食器洗い機においても同様にして実施することができる。
【図面の簡単な説明】
【００５８】
【図１】本発明の実施例１における食器洗い機の縦断正面図である。
【図２】本発明の実施例１の食器洗い機における水位センサの取り付け形態を示す縦断側面図である。
【図３】本発明の実施例１の食器洗い機における制御装置のブロック図である。
【図４】本発明の実施例１の食器洗い機における制御装置のマイクロコンピュータが実行する洗浄制御処理における給水および食器量検出の制御処理を示すフローチャートである。
【図５】本発明の実施例１の食器洗い機における制御装置のマイクロコンピュータが実行する食器量検出の制御処理における水位センサの検出電圧特性図である。
【符号の説明】
【００５９】
１…洗浄槽ユニット、１０１…洗浄槽、１０２…洗浄／排水ポンプ、１０３…回転ノズルアーム、１０５…水位センサ、１０５１…基準用サーミスタ、１０５２…洗浄水位検出用サーミスタ、１０５３…食器量検出水位検出用サーミスタ、１０６…食器載置かご、２…外ケース、３０１…マイクロコンピュータ。
【図１】
2005095505.tif 000003
【図２】
2005095505.tif 000004
【図３】
2005095505.tif 000005
【図４】
2005095505.tif 000006
【図５】
2005095505.tif 000007